(57)【要約】【課題】マイナスイオンを多量に発生して健康増進を図ることができると共に快適に着用できる身体着用具を提供すること、及びそのようなマイナスイオン効果の顕著な各種身体着用具を製作するための素材として好適な紐状部材を提供する。【解決手段】  シリコーンにトルマリン及びマイナスイオンセラミックスが混入された材料により細長い紐本体が形成される。上記紐本体はテープ状に形成される。上記紐状部材を編むことにより、又は他の素材の一部に上記紐状部材を編み込むことにより衣服、サポーター、アクセサリ等の身体着用具を形成する。【選択図】図１
2005163195.tif 000002
【特許請求の範囲】
【請求項１】
シリコーンにトルマリン及びマイナスイオンセラミックスが混入された材料により細長い紐本体が形成されたことを特徴とする紐状部材。
【請求項２】
上記紐本体はテープ状に形成されたことを特徴とする請求項１記載の紐状部材。
【請求項３】
上記テープ状に形成された紐本体は、０．５ｍｍの厚みと、１０ｍｍの幅を有することを特徴とする請求項２記載の紐状部材。
【請求項４】
上記紐本体が中空に形成されたことを特徴とする請求項１、２又は３記載の紐状部材。
【請求項５】
請求項１乃至請求項４記載の上記紐状部材を編むことにより、又は他の素材の一部に上記紐状部材を編み込むことにより形成されたことを特徴とする身体着用具。
【請求項６】
衣服の形状に製作されたことを特徴とする請求項５記載の身体着用具。
【請求項７】
身体の一部に着用するサポーターの形状に製作されたことを特徴とする請求項５記載の身体着用具。
【請求項８】
請求項１乃至請求項４記載の上記紐状部材がテープ状のままで身体に着用しうるアクセサリの形状に製作されたことを特徴とする身体着用具。
【発明の詳細な説明】
【技術分野】
【０００１】
本発明は、汎用性を有する有用な紐状部材と、その紐状部材を用いて製作される身体着用具に関する。
【背景技術】
【０００２】
マイナスイオンが人体の健康に好影響を与えることは知られている。そして、マイナスイオンを発生する物質、例えばトルマリンを含む素材で形成したブレスレットなどの製品が開発されている。
【０００３】
しかしながら、トルマリンは常温、静止状態ではマイナスイオンを発生せず、擦ったり、高温にしたり、衝撃を与えた場合に数秒間マイナスイオンを発生するだけで、マイナスイオンの発生量が少ないという不具合がある。
【０００４】
また、従来のマイナスイオンを発生する製品は、上記のブレスレットのごとく身体の一部だけにしか着用できず、身体の他の部分や、身体全体に着用できないという不具合もある。
【０００５】
本出願人は、マイナスイオン発生し、かつ上記の不具合を解消しうる先行技術について調査したが、関連する先行技術文献を見出すことはできなかった。
【発明の開示】
【発明が解決しようとする課題】
【０００６】
本発明の課題は、マイナスイオンを多量に発生して健康増進を図ることができると共に快適に着用できる身体着用具を提供すること、及びそのようなマイナスイオン効果の顕著な各種身体着用具を製作するための素材として好適な紐状部材を提供することにある。
【課題を解決するための手段】
【０００７】
上記課題を解決するために、請求項１記載の本発明に係る紐状部材は、シリコーンにトルマリン及びマイナスイオンセラミックスが混入された材料により細長い紐本体が形成されたことを特徴とするものである。
【０００８】
即ち、本発明に係る紐状部材は、マイナスイオンを発生するトルマリン及びマイナスイオンセラミックスという２種類の物質を含有し、かつ、シリコーンの特性を有するものである。
【０００９】
また、請求項２記載の本発明に係る紐状部材は、上記紐本体がテープ状に形成されたことを特徴とする。
【００１０】
従って、本発明に係る紐状部材は、上記紐本体がテープ状に形成されたことから用途が拡大し、汎用性を有することになる。
【００１１】
また、請求項３記載の本発明に係る紐状部材は、上記テープ状に形成された紐本体が、０．５ｍｍの厚みと、１０ｍｍの幅を有することを特徴とする。
【００１２】
即ち、本発明に係る紐状部材は、上記のような寸法に設定されたテープ状に形成されることにより、取り扱いやすくなって、汎用性が増大するものである。
【００１３】
また、請求項４記載の本発明に係る紐状部材は、上記紐本体が中空に形成されたことを特徴とする。
【００１４】
これにより、本発明に係る紐状部材は、軽量にすることができる。
【００１５】
また、請求項５記載の本発明に係る身体着用具は、請求項１乃至請求項４記載の上記紐状部材を編むことにより、又は他の素材の一部に上記紐状部材を編み込むことにより形成されたことを特徴とする。
【００１６】
即ち、本発明に係る身体着用具は、トルマリン及びマイナスイオンセラミックスという２種類の物質を含有し、かつ、シリコーンの特性を有する素材で形成されることから、マイナスイオンを多量に発生させることができると共に、柔軟性及び伸縮性を有するので身体に着用しやすい。
【００１７】
また、請求項６記載の本発明に係る身体着用具は、衣服の形状に製作されたことを特徴とする。
【００１８】
即ち、本発明に係る身体着用具は、衣服の形状に製作されたことから、身体を覆うように着用することができる。
【００１９】
また、請求項７記載の本発明に係る身体着用具は、身体の一部に着用するサポーターの形状に製作されたことを特徴とする。
【００２０】
従って、本発明に係る身体着用具は、膝や腕など身体の一部に限定して着用することができる。
【００２１】
また、請求項８記載の本発明に係る身体着用具は、請求項１乃至請求項４記載の上記紐状部材がテープ状のままで身体に着用しうるアクセサリの形状に製作されたことを特徴とする。
【００２２】
これにより、本発明に係る身体着用具は、おしゃれや実用的な用途で、身体に着用することができる。
【発明の効果】
【００２３】
請求項１記載の本発明に係る紐状部材は、糸や毛糸等の代用として衣服等を製作するための素材として使用できる有用性を有する。
また、シリコーンにトルマリン及びマイナスイオンセラミックスが混入された材料により形成されたことから、トルマリンの発生するマイナスイオンに、マイナスイオンセラミックスが発生するマイナスイオンが加わるので、マイナスイオンの発生量が相乗的に増大し、マイナスイオン効果が顕著になり、健康に頗る好影響を与えることができる。
また、マイナスイオンセラミックスは常に微量放射線を発生させ、空気中の水分子と反応してマイナスイオンを作り出すので、常温、静止状態でも、即ち、衝撃や圧力を加えることなくマイナスイオンを発生するので、取り扱いが容易で、使用上の煩わしさがない。
また、マイナスイオンセラミックスが発生する微量放射線のホルミシス効果により、生体の防御機構を活性化し、ガン抑制や免疫機能の向上などの効果も得られる。
また、シリコーンを主要な材料として形成されることにより、柔軟性及び伸縮性にすぐれ、取り扱いやすい。また、耐候性にすぐれ、劣化しにくく長持ちする。また、耐水性及び耐熱性にすぐれ、着用して快適な衣服等を製作することができる。
【００２４】
また、請求項２記載の本発明に係る紐状部材は、上記紐本体がテープ状に形成されたことから、取り扱いやすくなると共に、面積が拡大してマイナスイオン発生量が増大する。また、テープ状に形成された紐状部材を他の素材に編み込むことにより、シャーリングなどを容易に形成することができる。
【００２５】
また、請求項３記載の本発明に係る紐状部材は、上記テープ状に形成された紐本体が、０．５ｍｍの厚みと、１０ｍｍの幅を有することから、面積が適度に広くマイナスイオンの発生量が多い。また、この寸法にすることにより押出成形による製造が容易で、低コストで製造することができる。また、この寸法にすることにより、支障なく編み込むことができ、衣服等の製作も可能となる。
【００２６】
また、請求項４記載の本発明に係る紐状部材は、上記紐本体が中空に形成されたことから、軽量化することができ、取り扱いやすい。
【００２７】
また、請求項５記載の本発明に係る身体着用具は、上記紐状部材を編むことにより、又は他の素材の一部に上記紐状部材を編み込むことにより形成されたことから、マイナスイオン発生量が多く、身体に着用した場合に、マイナスイオン効果を身体が直に享受することができる。
【００２８】
また、請求項６記載の本発明に係る身体着用具は、衣服の形状に形成されたことから、これを着用した場合に、身体全体がマイナスイオン効果を享受することができる。また、シリコーンの熱伝導率の良さから、冬は暖かく、夏は涼しいので、快適に着用することができる。
【００２９】
また、請求項７記載の本発明に係る身体着用具は、身体の一部に着用するサポーターの形状に製作されたことから、身体の一部、例えば腰や膝等の具合が悪い個所に着用して保護し治癒することができる。
【００３０】
また、請求項８記載の本発明に係る身体着用具は、上記紐状部材がテープ状のままで身体に着用しうるアクセサリの形状に製作されたことから、おしゃれや実用的な用途で身体に手軽に着用することができるので、用途が拡大し、汎用性が増大する。例えば、首に掛けるレイや、腰に巻くベルトや、各種ストラップなどとして利用することができる。もちろん、それらを着用することによりマイナスイオン効果を享受することができる。
【発明を実施するための最良の形態】
【００３１】
以下、図面を用いて本発明の実施の形態について説明する。
本実施の形態に係る紐状部材１は、シリコーンにトルマリン及びマイナスイオンセラミックスが混入された材料により、図１に示すように、細長い紐本体２が形成されている。
また、上記紐本体２は、図１に示すように、テープ状に形成されている。
また、上記テープ状に形成された紐本体２は、０．５ｍｍの厚みと、１０ｍｍの幅を有するように形成されている。
また、図１に示した上記紐本体２は、図２に示すように、中実であるが、上記紐本体２を、図３に示すように、中空に形成することもできる。
また、本実施の形態に係る身体着用具３は、図４〜図６に示すように、上記紐状部材２を編むことにより、又は他の素材の一部に上記紐状部材２を編み込むことにより形成されている。
また、上記身体着用具３は、図４に示す実施形態では、衣服４の形状に製作されている。
また、上記身体着用具３は、図５に示す実施形態では、身体の一部に着用するサポーター５の形状に製作されている。
また、上記身体着用具３は、図６に示す実施形態では、上記紐状部材２がテープ状のままで身体に着用しうるアクセサリ６の形状に製作されている。
【実施例１】
【００３２】
図１は実施例１に係る紐状部材１を示したものである。この紐状部材１は、シリコーンにトルマリン及びマイナスイオンセラミックスが混入された材料を押出成形して形成され、毛糸や普通の糸の代用品として使用しうるように細長い紐本体２を有している。
なお、トルマリン及びマイナスイオンセラミックスは微小な粉粒状にしてシリコーンに混入することができる。
【００３３】
上記紐本体２は、図１に示すように、テープ状に形成されている。そして、上記紐本体２は、０．５ｍｍの厚みと、１０ｍｍの幅を有している。
【００３４】
また、図１に示した上記紐本体２は、図2に示すように、中実に形成されている。なお、上記紐本体２を、図３に示すように、中空に形成して軽量化することも可能である。
【００３５】
上記紐本体２は、シリコーンを主材料として形成されるので、柔軟性及び伸縮性を有している。また、トルマリン及びマイナスイオンセラミックスが含有されているので、マイナスイオンを発生する。なお、マイナスイオンセラミックスは、常に微量放射線を発生させ、空気中の水分子と反応してマイナスイオンを作り出すので、常温、静止状態でも、即ち、衝撃や圧力を加えることなくマイナスイオンを発生することができる。
【００３６】
シリコーンに含有させるトルマリン及びマイナスイオンセラミックスの割合は自由であり、その割合を大きくすればマイナスイオン発生量を増大させることができる。
なお、トルマリン及びマイナスイオンセラミックスの含有量を減らせば、スケルトンにすることができる。
【００３７】
上記紐状部材１は、一般的な糸などと同様に、ボビン等に巻着した状態で販売することができる。
【実施例２】
【００３８】
次に、図４は実施例２に係る身体着用具３を示したものである。この身体着用具３は、上記紐状部材２を編むことにより、衣服４の一種であるチョッキ７の形状に製作されている。
なお、衣服４の種類は自由であり、上記チョッキ７に限定されるものではない。
【００３９】
上記チョッキ７は上記紐状部材２だけを使用して形成されているが、他の素材と組み合わせて形成することも可能である。即ち、他の素材の一部に上記紐状部材２を編み込むことにより形成することも可能である。
【００４０】
上記チョッキ７等の衣服４は、素材に含有されるトルマリン及びマイナスイオンセラミックスによりマイナスイオンを発生するので、着用した場合に、健康に好影響を与えることができる。
また、シリコーンの柔軟性及び伸縮性により身体にフィットするので、着心地が良好である。
また、シリコーンの良好な耐候性により、耐久性がある。
また、シリコーンは耐水性、耐熱性、熱伝導率などが良好なので、着用した場合に、冬暖かく、夏涼しいので、快適に着用することができる。
【実施例３】
【００４１】
次に、図５は実施例３に係る身体着用具３を示したものである。この身体着用具３は、上記紐状部材２を筒状に編むことにより、サポーター５の形状に製作されている。
【００４２】
上記サポーター５は上記紐状部材２だけを使用して形成されているが、他の素材と組み合わせて形成することも可能である。即ち、他の素材の一部に上記紐状部材２を編み込むことにより形成することも可能である。
【００４３】
上記サポーター５は、腕や膝など、着用する身体の部位に合わせて、太さや長さなどの寸法を適宜設定することができる。
【実施例４】
【００４４】
次に、図６は実施例４に係る身体着用具３を示したものである。この身体着用具３は、上記紐状部材２をテープ状のまま使用して、身体に着用しうるアクセサリ６の一種として携帯ストラップ８の形状に製作されている。
【００４５】
上記アクセサリ６は上記携帯ストラップ８に限定されるものではない。即ち、上記アクセサリ６には、例えば、ネックレス、ブレスレット、ヘアーバンド、ベルト、眼鏡ストラップ、キャップストラップなどが含まれるものとする。また、医療用として使用される側腕症ベルトや、術後の頭に被るネットなども含まれるものとする。
【００４６】
上記携帯ストラップ８は上記紐状部材２をテープ状のまま使用して形成されているが、上記紐状部材２を編むことにより、又は他の素材の一部に上記紐状部材２を編み込むことにより形成することも可能である。その他の上記アクセサリの場合も同様である。
【産業上の利用可能性】
【００４７】
本発明の紐状部材は、種々の素材として、例えば、身体着用具の素材として適用可能である。また、本発明の身体着用具は、直接又は間接的に身体に取り付ける用具に適用可能である。
【図面の簡単な説明】
【００４８】
【図１】実施例１の紐状部材の斜視図である。
【００４９】
【図２】図１のＡ−Ａ線断面図である。
【００５０】
【図３】紐状部材を中空にした実施例の断面図である。
【００５１】
【図４】実施例２のチョッキの正面図である。
【００５２】
【図５】実施例３のサポーターの斜視図である。
【００５３】
【図６】実施例４の形態ストラップの斜視図である。
【符号の説明】
【００５４】
１  紐状部材
２  紐本体
３  身体着用具
４  衣服
５  サポーター
６  アクセサリ
７  チョッキ
８  携帯ストラップ
【図１】
2005163195.tif 000003
【図２】
2005163195.tif 000004
【図３】
2005163195.tif 000005
【図４】
2005163195.tif 000006
【図５】
2005163195.tif 000007
【図６】
2005163195.tif 000008